(57)【特許請求の範囲】
【請求項１】
ケース(1)に内蔵されるプッシュスイッチ(19)と、ケース(1)のスイッチ窓(1B)に配設されてプッシュスイッチ(19)を押してオンオフに切り換える押ボタン(20)と、押ボタン(20)とプッシュスイッチ(19)との間に配設されてケース(1)のスイッチ窓(1B)を防水構造に閉塞する防水パッキン(21)とを備え、以下の全ての構成を備えてなる電気かみそり。
（ａ）  ケース(1)は、スイッチ窓(1B)の周縁に外側に突出する周壁(24)を有する。
（ｂ）  防水パッキン(21)は、周壁(24)の上端縁に接触される表面接触部(21a)と、周壁(24)の内面に接触される内面接触部(21b)とを有する。
（ｃ）  防水パッキン(21)の内面接触部(21b)の内面に、防水パッキン(21)の内面接触部(21b)を周壁(24)に密着させるインナーリング(22)を配設している。
（ｄ）  インナーリング(22)の内側に、押圧方向に移動できるように押ボタン(20)を配設している。
（ｅ）  インナーリング(22)が、ケース(1)表面に固定される化粧板(25)を一体構造に連結しており、化粧板(25)がケース(1)に設けているランプの光を外部に照射する光窓(25A)を有する。
【請求項２】
防水パッキン(21)を、ケース(1)に固定している表面カバー(23)でケース(1)の定位置に装着している請求項１に記載される電気かみそり。
【請求項３】
インナーリング(22)を、ケース(1)に固定している表面カバー(23)でケース(1)の定位置に装着している請求項１に記載される電気かみそり。
【請求項４】
化粧板(25)が嵌着構造でケース(1)表面の定位置に装着されてなる請求項１に記載される電気かみそり。
【請求項５】
ケース(1)に固定している表面カバー(23)が、化粧板(25)の周縁を押圧して、化粧板(25)をケース(1)の定位置に装着している請求項１記載される電気かみそり。
【請求項６】
表面カバー(23)がケース(1)に連結するための連結フック(23B)を有し、連結フック(23B)をケース(1)に連結して、表面カバー(23)をケース(1)の定位置に固定している請求項１に記載される電気かみそり。
【発明の詳細な説明】
【０００１】
【発明の属する技術分野】
本発明は、プッシュスイッチでオンオフする電気かみそりに関し、とくに、プッシュスイッチを防水構造でケースに装着している電気かみそりに関する。
【０００２】
【従来の技術】
プッシュスイッチを備える電気かみそりは、プッシュスイッチを押してモーターをオン、オフに切り換えできるので、スライドスイッチに比較して簡単にスイッチを切り換えできる。また、プッシュスイッチは、簡単な構造で防水構造にできる特長もある。押ボタンは、スライドスイッチのように、ケースの表面に沿って移動するパーツがなく簡単な構造で防水できるからである。
【０００３】
図１は、防水構造の押ボタンのプッシュスイッチを押す構造を示す断面図である。この図は、ケース１に内蔵しているプッシュスイッチ１９を押ボタン２０で押してオンオフに切り換える。押ボタン２０を防水構造でケース１に装着するために、ケース１のスイッチ窓１Ｂを防水パッキン２８で水密に閉塞している。防水パッキン２８は、スイッチ窓１Ｂの周縁に設けている周壁２４を嵌着する嵌入溝２８Ａを設けて、ここに周壁２４を入れている。さらに、防水パッキン２８が完全にスイッチ窓１Ｂを閉塞するために、防水パッキン２８の外周を結束して、嵌入溝２８Ａを周壁２４に密着させている。また、防水パッキン２８は、嵌入溝２８Ａの内側に押ボタン２０を配設している。この構造は、押ボタン２０が押されると、防水パッキン２８を変形して、プッシュスイッチ１９が押される。
【０００４】
【発明が解決しようとする課題】
図１に示す防水構造は、防水パッキンの取り付けに手間がかかる欠点がある。それは、防水パッキンの嵌入溝に周壁を入れ、この状態で防水パッキンの外周を結束するからである。さらに、この構造は、より完全な防水構造とするためには、周壁を高くして、防水パッキンの外周を確実に結束する必要があり、押ボタンの装着部が厚くなる欠点がある。さらに、この構造は、防水パッキンに直接に押ボタンを連結するので、押ボタンを安定して定位置に保持しながら、押された方向に移動させるのが難しい。防水パッキンが変形すると、押ボタンの水平面内における位置がずれるからである。
【０００５】
本発明は、この欠点を解決することを目的に開発されたものである。本発明の重要な目的は、押ボタンを設けている部分の組み立てを簡単にして、ケースに開口しているスイッチ窓を確実に防水できる電気かみそりを提供することにある。
【０００６】
さらに、本発明の他の大切な目的は、押ボタンを設けている部分を薄く設計して充分な防水構造にでき、さらに、押ボタンを正確な位置で押圧方向にストロークできる電気かみそりを提供することにある。
【０００７】
【課題を解決するための手段】
本発明の電気かみそりは、ケース１に内蔵されるプッシュスイッチ１９と、ケース１のスイッチ窓１Ｂに配設されてプッシュスイッチ１９を押してオンオフに切り換える押ボタン２０と、押ボタン２０とプッシュスイッチ１９との間に配設されてケース１のスイッチ窓１Ｂを防水構造に閉塞する防水パッキン２１とを備える。さらに、本発明の電気かみそりは、以下の全ての構成を備える。
（ａ）  ケース１は、スイッチ窓１Ｂの周縁に外側に突出する周壁２４を有する。
（ｂ）  防水パッキン２１は、周壁２４の上端縁に接触される表面接触部２１ａと、周壁２４の内面に接触される内面接触部２１ｂとを有する。
（ｃ）  防水パッキン２１の内面接触部２１ｂの内面に、防水パッキン２１の内面接触部２１ｂを周壁２４に密着させるインナーリング２２を配設している。
（ｄ）  インナーリング２２の内側に、押圧方向に移動できるように押ボタン２０を配設している。
（ｅ）  インナーリング２２に、ケース１表面に固定される化粧板２５を、一体構造に連結することができる。この化粧板２５には、ケース１に設けているランプの光を外部に照射する光窓２５Ａを設ける。
【０００８】
本発明の電気かみそりは、防水パッキン２１を、ケース１に固定している表面カバー２３でケース１の定位置に装着することができる。さらに、本発明の電気かみそりは、インナーリング２２を、ケース１に固定している表面カバー２３でケース１の定位置に装着することができる。
【００１０】
本発明の電気かみそりは、化粧板２５を嵌着構造でケース１表面の定位置に装着することができる。さらに、本発明の電気かみそりは、ケース１に固定している表面カバー２３で化粧板２５の周縁を押圧して、化粧板２５をケース１の定位置に装着することができる。
【００１１】
さらに、本発明の電気かみそりは、表面カバー２３に、ケース１に連結するための連結フック２３Ｂを設けることができる。この電気かみそりは、連結フック２３Ｂをケース１に連結して、表面カバー２３をケース１の定位置に固定できる。
【００１２】
【発明の実施の形態】
以下、本発明の実施例を図面に基づいて説明する。ただし、以下に示す実施例は、本発明の技術思想を具体化するための電気かみそりを例示するものであって、本発明は電気かみそりを以下のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図２の斜視図に示す電気かみそりは、ケース１に押ボタン２０を設けている。押ボタン２０は、ケース１に内蔵しているプッシュスイッチ１９を操作して、内蔵するモーター４をオンオフに切り換える。図２の電気かみそりは、図３に示すように、内刃６を駆動するモーター４と、このモーター４を駆動する電池３と、この電池３に接続している電子パーツ装着基板５と、この電子パーツ装着基板５とモーター４と電池３とを装着して、ケース１の定位置に内蔵しているインナーホルダー２とを備える。図４は、インナーホルダー２をケース１から引き出した状態を示している。
【００１５】
モーター４は、回転運動を往復運動に変換する機構を介して内刃６に連結されて、内刃６を往復運動させる。この往復運動に変換する機構は、現在使用される機構、あるいはこれから開発される全ての機構を使用できる。たとえば、モーター４の回転軸１１にカム軸１２を固定し、このカム軸１２を往復運動する振動台１４に連結し、振動台１４に内刃６を装着する機構が利用できる。内刃６は外刃７の内側を摺動して、外刃７に設けている無数の髭孔から内側に挿入される髭をカットする。
【００１６】
電池３は、ニッケル−水素電池、ニッケル−カドミウム電池、リチウムイオン二次電池等の充電できる電池で、１ないし複数本をインナーホルダー２の定位置に装着している。図３の電気かみそりは、２本の電池３をインナーホルダー２の保持筒８に挿入して並列に内蔵している。
【００１７】
電子パーツ装着基板５の回路構成を図５に示す。この回路構成の電子パーツ装着基板は、電池３の充電を制御する回路と、モーター４の回転を制御する回路とを内蔵している。電池３の充電を制御する回路は、電池３と充電端子１５との間に接続しているスイッチング素子Ｑ１と、このスイッチング素子Ｑ１をオンオフに制御するマイコン１６と、スイッチング素子Ｑ１と電池３とに直列に接続されて、充電電流を制限する充電抵抗Ｒとを備える。
【００１８】
充電を制御する回路は、スイッチング素子Ｑ１と充電抵抗Ｒに、電池３を充電する大きな電流が流れる。スイッチング素子Ｑ１は、電流と電圧降下の積に比例する電力で発熱し、充電抵抗Ｒは、電流の自乗と抵抗の積に比例する電力で発熱する。電流が大きいと発熱も大きいので、スイッチング素子Ｑ１と充電抵抗Ｒは、高発熱部品となる。
【００１９】
以上の図に示す電池３の充電を制御する回路は、マイコン１６で、電池３の放電時間から残存容量を演算する。残存容量はＬＥＤ（図示せず）で表示される。さらに、マイコン１６は、残存容量から充電時間を演算して、スイッチング素子Ｑ１のオン時間を制御する。電気かみそりを充電器にセットする状態で、スイッチング素子Ｑ１をオンにして電池３を充電する。電池３が満充電される時間をマイコン１６で検出し、電池３が満充電されるとスイッチング素子Ｑ１をオフに切り換えて充電を停止する。
【００２０】
モーター４を制御する回路は、ＦＥＴ等のスイッチング素子Ｑ２と、このスイッチング素子Ｑ２をオンオフに切り換えるスイッチング回路１８と、スイッチング回路１８にオンオフに切り換える信号を入力するプッシュスイッチ１９とを備える。スイッチング回路１８は、プッシュスイッチ１９が押されてオン信号が入力される毎に、出力を”Ｈ”と”Ｌ”に切り換えて、スイッチング素子Ｑ２をオンオフに切り換える。この回路は、簡単な構造のプッシュスイッチを使用して、モーター４をオンオフに制御できる特長がある。この回路は、スイッチング素子Ｑ２にモーター電流が流れるので、スイッチング素子Ｑ２が最も発熱する。したがって、スイッチング素子Ｑ２を高発熱部品としてインナーホルダー２の区画室に配設することもできる。ただ、このスイッチング素子Ｑ２は、電池３の充電を制御するスイッチング素子Ｑ１に比較して電流が小さく、発熱も小さいので、高発熱部品として区画室に配設しないで、電子パーツ装着基板の裏面側に固定することもできる。
【００２１】
プッシュスイッチ１９は、図４に示すように電子パーツ装着基板５に固定される。このプッシュスイッチ１９は、図６の分解斜視図と、図７の縦断面図と図８の横断面図に示すように、ケース１に設けている押ボタン２０に押される位置に配設される。ケース１のスイッチ窓１Ｂは、防水パッキン２１と、インナーリング２２と、表面カバー２３を介して押ボタン２０を防水構造でケース１に装着している。
【００２２】
押ボタン２０はプラスチックを円形に成形したもので、裏面の中心には、防水パッキン２１に挿入される凸起２０Ａを一体成形して設けており、さらに下端の周縁には、抜け止用の鍔２０Ｂを設けている。
【００２３】
ケース１はプラスチック製で、押ボタン２０を配設するスイッチ窓１Ｂを設けている。スイッチ窓１Ｂは円形で、周縁に沿って、ケース１の外側に突出する周壁２４を一体成形して設けている。周壁２４は、所定の厚さを有し、かつ、上端縁を平面状とし、さらに、全体を同じ高さとする垂直壁である。
【００２４】
防水パッキン２１は、周壁２４を嵌入できる円形の溝２１Ａを設けて、周壁２４の上端縁に接触される表面接触部２１ａと、周壁２４の内面に接触される内面接触部２１ｂと、周壁２４の外側面に接触する外側接触部２１ｃとを設けている。この図に示すように、防水パッキン２１に溝２１Ａを設けて、ここに周壁２４を嵌入する構造は、防水パッキン２１を簡単に定位置に装着できる特長がある。ただ、防水パッキンは、必ずしも周壁を嵌入する溝を設ける必要はなく、周壁の上端縁に接触される表面接触部と、周壁の内面に接触される内面接触部とを設けて、外側接触部を設けない構造とするともできる。
【００２５】
防水パッキン２１は、天然または合成ゴム、あるいは柔軟なプラスチック等のゴム状弾性体で成形される。図の防水パッキン２１は、プッシュスイッチ１９を押す部分には凸部２１Ｂを設け、押ボタン２０側には、押ボタン２０の凸起２０Ａを嵌入する嵌着凹部２１Ｃを設けている。
【００２６】
防水パッキン２１の内面接触部２１ｂの内面に位置して、防水パッキン２１の内面接触部２１ｂを周壁２４に密着させるインナーリング２２を配設している。さらに、インナーリング２２の内側には、押圧方向に移動できるように押ボタン２０を配設している。インナーリング２２は、防水パッキン２１の内面接触部２１ｂを周壁２４に密着して確実な防水構造を実現する。また、開口部の内側に押ボタン２０を配設して、押ボタン２０を定位置でスムーズにストロークできるように配設する。図のインナーリング２２は、表面カバー２３の貫通孔２３Ａに挿入される表面突出リンク２２Ａを一体成形して設けている。
【００２７】
図のインナーリング２２は、防水パッキン２１の表面接触部２１ａの一部を周壁２４に押圧し、さらに、化粧板２５を連結するために、上下に突出する突出部２２Ｂを設けている。下方の突出部２２Ｂの下端を化粧板２５に連結している。図のインナーリング２２は、突出部２２Ｂと化粧板２５とからなる全体をプラスチックで一体成形している。化粧板２５はケース１に設けているＬＥＤ等のランプの光を外部に照射する光窓２５Ａを開口している。さらに、化粧板２５は両側に凸条２５Ｂを設けている。凸条２５Ｂは、図９の断面図に示すように、ケース１に向かって突出されて、ケース１表面に設けている縦溝１Ｃに嵌入されて化粧板２５をケース１の定位置に連結している。この構造は、インナーリング２２を化粧板２５と一体成形しているので、化粧板２５を介してインナーリング２２もケース１の定位置に装着できる。化粧板２５の下端は、ケース１の下端に固定している底蓋２６の底面まで延長されて、底蓋２６がケース１から外れるのを阻止する。
【００２８】
表面カバー２３はケース１に固定されて、インナーリング２２と防水パッキン２１をケース１の定位置に装着する。表面カバー２３は、ケース１の定位置に固定するために、両側部をケース１に沿って湾曲させると共に、両側縁に複数の連結フック２３Ｂを一体成形して設けている。ケース１は、この連結フック２３Ｂを引っかける引掛部１Ｄをケース１の側面に設けている。この構造の表面カバー２３は、連結フック２３Ｂを引掛部１Ｄに引っかけてケース１に簡単に固定される。さらに、図１０に示すように、表面カバー２３の下部は、ケース１の下端開口部を閉塞している底蓋２６に沿ってその下面まで延長している。この表面カバー２３は、ケース１に固定されて、底蓋２６がケース１から抜けるのを阻止できる特長がある。底蓋２６を外すときは、図に示すように、表面カバー２３の下端をドライバー等でケース１から分離する。
【００２９】
図６の表面カバー２３は、押ボタン２０を外部に表出させる円形の貫通孔２３Ａと、化粧板２５を外部に表出させる切欠部２３Ｃとを開口している。貫通孔２３Ａの内径は、インナーリング２２の表面突出リング４Ａの外径にほぼ等しくしている。貫通孔２３Ａはケース１の周壁２４よりも小さく、表面カバー２３でもって、防水パッキン２１の周縁をケース１の周壁２４に向かって押し付けることができるようにしている。この構造の表面カバー２３は、防水パッキン２１の表面接触部２１ａを周壁２４に密着させて、防水パッキン２１をより確実な防水構造で周壁２４に連結できる特長がある。ただし、防水パッキンの表面接触部は、インナーリングで周壁の方向に押し付けて固定することもできる。このインナーリングは、防水パッキンの表面接触部を周壁に押圧するための外周鍔を一体成形して設ける。外周鍔は、好ましくは、防水パッキンと表面カバーとの間に配設されて、防水パッキンを周壁に押し付ける。ただし、インナーリングを表面カバーでケースに固定し、外周鍔を表面カバーと防水パッキンとの間に配設することなく、いいかえると、表面カバーの貫通孔の内径を外周鍔よりも大きくして、外周鍔を表面カバーの貫通孔から外部に表出させる構造として、外周鍔で防水パッキンを周壁に押し付けることもできる。
【００３０】
表面カバー２３の切欠部２３Ｃは、図９の断面図に示すように、化粧板２５の両側をケース１に押し付けて、化粧板２５の凸条２５Ｂをケース１の縦溝１Ｃに案内する状態で、化粧板２５をケース１の定位置に固定する。したがって、表面カバー２３の切欠部２３Ｃは、化粧板２５の両側に設けている凸条２５Ｂの表面凹部に嵌入できる形状としている。
【００３１】
以上の構造の電気かみそりは、化粧板２５を一体成形しているインナーリング２２と表面カバー２３とを別々のパーツとしているので、これ等を表面色が異なる色として、美しいカラーデザインにできる特長がある。また、この構造は、化粧板２５とインナーリング２２とをプラスチックで一体成形して、表面カバー２３を金属板とすることもできる。ただし、本発明の電気かみそりは、化粧板２５及びインナーリング２２と表面カバー２３をプラスチックで一体成形することもできる。
【００３２】
インナーホルダー２は、全体をプラスチックで一体的に成形している。図４のインナーホルダー２は、裏面に電子パーツ装着基板５を装着する装着面を設けている。装着面の両側には、電子パーツ装着基板５を両側から弾性的に挟着して保持する保持爪２Ａを突出するように一体成形して設けている。保持爪２Ａは、図９の横断面図に示すように、下端をフック状に成形して、フックで電子パーツ装着基板５の両側を挟着して保持している。図のインナーホルダー２は、両側に各々ふたつの保持爪２Ａを設け、全体で４個の保持爪２Ａを設けて電子パーツ装着基板５を両側の２カ所で挟着して保持している。
【００３３】
図３と図４に示すインナーホルダー２は、プラスチックでもって、電池３を挿入する保持筒８を一体成形している。保持筒８は、上端を閉塞して電池３が上方に抜けないようにしている。保持筒８は、電池３を挿入するために、下端を開口している。図のインナーホルダー２は、２本の円筒電池３を平行に挿入できる形状の保持筒８を設けている。
【００３４】
さらに、インナーホルダー２は、上部に、モーター４を定位置に保持する横リブ２Ｂを設けている。モーター４は、この横リブ２Ｂと、両側の側壁２Ｄと、隔壁２Ｃとに囲まれる領域に嵌入されて定位置に装着される。
【００３５】
さらにまた、インナーホルダー２は、側壁２Ｄの先端部を、内刃６の振動台１４を嵌着構造で連結する嵌着部２Ｅとし、ここに振動台１４の弾性アーム先端を嵌着して連結している。
【００３６】
ケース１は、下端を開口する筒状に成形されて、下端の開口部に水密に底蓋２６を連結している。ケース１は、上端に貫通孔１Ａを設けて、ここから振動ロッド１３を真上に突出させている。振動ロッド１３と貫通孔１Ａとの間は、水が侵入しないように、貫通孔１Ａを可撓性のゴムシート２７で閉塞している。
【００３７】
【発明の効果】
本発明の電気かみそりは、押ボタンを設けている部分の組み立てを簡単にして、ケースに開口しているスイッチ窓を確実に防水できる特長がある。それは、本発明の電気かみそりが、ケースのスイッチ窓の周縁に設けられた周壁に防水パッキンを配設しており、この防水パッキンは、周壁の上端縁に接触される表面接触部と、周壁の内面に接触される内面接触部とを有すると共に、内面接触部の内面にインナーリングを配設して、防水パッキンの内面接触部を周壁に密着させており、さらに、インナーリングの内側に、押圧方向に移動できるように押ボタンを配設しているからである。この構造の電気かみそりは、組み立てを簡単にして、防水パッキンを確実に定位置に配設できるにも関わらず、押ボタンを設けている部分を薄く設計して充分な防水構造にできる。さらに、本発明の電気かみそりは、押ボタンをインナーリングの内側で移動させるので、正確な位置で押圧方向にストロークできる特長もある。
【図面の簡単な説明】
【図１】従来の防水構造の押ボタンのプッシュスイッチを示す断面図
【図２】本発明の実施例の電気かみそりの分解斜視図
【図３】図２に示す電気かみそりの一部断面分解背面図
【図４】図３に示す電気かみそりのインナーケースの側面図
【図５】本発明の実施例の電気かみそりの回路構成を示す回路図
【図６】図２に示す電気かみそりの分解斜視図
【図７】図２に示す電気かみそりの要部拡大縦断面図
【図８】図７に示す電気かみそりの横断面図
【図９】図２に示す電気かみそりの下部の横断面図
【図１０】図２に示す電気かみそりの底面斜視図
【符号の説明】
１…ケース              １Ａ…貫通孔            １Ｂ…スイッチ窓
１Ｃ…縦溝              １Ｄ…引掛部
２…インナーホルダー    ２Ａ…保持爪            ２Ｂ…横リブ
２Ｃ…隔壁              ２Ｄ…側壁
２Ｅ…嵌着部
３…電池
４…モーター
５…電子パーツ装着基板
６…内刃
７…外刃
８…保持筒
１１…回転軸
１２…カム軸
１３…振動ロッド
１４…振動台
１５…充電端子
１６…マイコン
１８…スイッチング回路
１９…プッシュスイッチ
２０…押ボタン          ２０Ａ…凸起            ２０Ｂ…鍔
２１…防水パッキン      ２１Ａ…溝              ２１Ｂ…凸部
２１Ｃ…嵌着凹部
２１ａ…表面接触部      ２１ｂ…内面接触部
２１ｃ…外側接触部
２２…インナーリング    ２２Ａ…表面突出リング  ２２Ｂ…突出部
２３…表面カバー        ２３Ａ…貫通孔          ２３Ｂ…連結フック
２３Ｃ…切欠部
２４…周壁
２５…化粧板            ２５Ａ…光窓            ２５Ｂ…凸条
２６…底蓋
２７…ゴムシート
２８…防水パッキン      ２８Ａ…嵌入溝
Ｑ１…スイッチング素子
Ｑ２…スイッチング素子
Ｒ…充電抵抗
【図１】
0003773743.tif 000002
【図２】
0003773743.tif 000003
【図３】
0003773743.tif 000004
【図４】
0003773743.tif 000005
【図５】
0003773743.tif 000006
【図６】
0003773743.tif 000007
【図７】
0003773743.tif 000008
【図８】
0003773743.tif 000009
【図９】
0003773743.tif 000010
【図１０】
0003773743.tif 000011